(57)【要約】      （修正有）【課題】微細機械加工可能な材料で作られた部品を安全に取り扱うことが可能な計時器用発振器構造を提供する。【解決手段】部品は、２つのメインユニット３を連結する、少なくとも１つのフレキシブルなブレード２ないしネック部形成ブレードを有し、メインユニット３のそれぞれは、フレキシブルなブレード２ないしネック部形成ブレードよりも剛性が高く、分離可能なユニット１０は、メインユニット３の少なくとも１つに隣接している少なくとも１つのグリップユニット４を有し、分離可能なユニット１０は、少なくとも１つの分離可能なリンケージ５によってメインユニット３に接続され、分離可能なリンケージ５は、グリップユニット４に隣接している少なくとも特定のメインユニット３によって部品がフレキシブルなブレード２ないしネック部形成ブレードよりも剛性が高い外側要素に固定されているときに部品からこのグリップユニット４を分離することができる。【選択図】図１
2019015731.tif 000002
【特許請求の範囲】
【請求項１】
少なくとも１つの部品（１）を有する少なくとも１つの分離可能なユニット（１０）を有する計時器用発振器構造（１００）であって、
前記部品（１）は、２つのメインユニット（３）を連結する、少なくとも１つのフレキシブルなブレード（２）ないしネック部形成ブレード（２０）を有し、
前記メインユニット（３）のそれぞれは、前記フレキシブルなブレード（２）ないしネック部形成ブレード（２０）よりも剛性が高く、
前記分離可能なユニット（１０）は、前記メインユニット（３）の少なくとも１つに隣接するように設計された少なくとも１つのグリップユニット（４）を有し、
前記分離可能なユニット（１０）は、少なくとも１つの分離可能なリンケージ（５）によって前記メインユニット（３）に接続され、
前記分離可能なリンケージ（５）は、前記グリップユニット（４）に隣接するように設計されている少なくとも特定のメインユニット（３）によって前記部品（１）が前記フレキシブルなブレード（２）ないしネック部形成ブレード（２０）よりも剛性が高い外側要素（９）に固定されているときに前記部品（１）から保護ゾーン（４）を分離することができるように設計されており、
同じグリップユニット（４）が、同じフレキシブルなブレード（２）ないしネック部形成ブレード（２０）の両側に位置しているメインユニット（３）に隣接しており、これによって、前記フレキシブルなブレード（２）ないしネック部形成ブレード（２０）を保護する
ことを特徴とする構造（１００）。
【請求項２】
前記分離可能なリンケージ（５）には、前記メインユニット（３）及びこれに連接しているグリップユニット（４）よりも小さな断面のゾーンがあり、及び／又は少なくとも１つのブリッジ（７）があり、及び／又は材料の厚みにて作られる少なくとも１つの切り込みがある
ことを特徴とする請求項１に記載の構造（１００）。
【請求項３】
前記メインユニット（３）はそれぞれ、そのメインユニット（３）が前記分離可能なリンケージ（５）によって接続されているグリップユニット（４）と隣接している
ことを特徴とする請求項１に記載の構造（１００）。
【請求項４】
前記メインユニット（３）の少なくとも１つは、自由な慣性質量体を形成し、別の分離可能なユニット（１０）の別の自由な慣性質量体に固定されるように設計されている
ことを特徴とする請求項１に記載の構造（１００）。
【請求項５】
少なくとも１つの前記メインユニット（３）には、少なくとも１つのアセンブリー面（６、１１）があり、これによって、このメインユニット（３）を少なくとも１つの前記外側要素（９）に堅固に固定する
ことを特徴とする請求項１に記載の構造（１００）。
【請求項６】
前記メインユニット（３）にはそれぞれ、少なくとも１つのアセンブリー面（６、１１）があり、これによって、このメインユニット（３）を少なくとも１つの前記外側要素（９）に堅固に固定する
ことを特徴とする請求項５に記載の構造（１００）。
【請求項７】
少なくとも１つの前記メインユニット（３）は、自由な慣性質量体を形成し、前記外側要素（９）とのいずれのリンケージもない
ことを特徴とする請求項１に記載の構造（１００）。
【請求項８】
前記分離可能なユニット（１０）は、単一の前記グリップユニット（４）を有する
ことを特徴とする請求項１に記載の構造（１００）。
【請求項９】
少なくとも１つの前記フレキシブルなブレード（２）ないしネック部形成ブレード（２０）には、前記分離可能なリンケージ（５）が壊れておらず前記グリップユニット（４）がそれぞれ前記部品（１）に接続されているかぎり、多重安定状態において予応力を与えられる
ことを特徴とする請求項１に記載の構造（１００）。
【請求項１０】
前記分離可能なユニット（１０）は、平坦であり、微細機械加工可能な材料で作られ、あるいはケイ素と酸化ケイ素、又はＤＬＣ、又は少なくとも部分的にアモルファスな物質によって作られている
ことを特徴とする請求項１に記載の構造（１００）。
【請求項１１】
前記分離可能なユニット（１０）は、その分離可能なユニット（１０）が備える前記フレキシブルなブレード（２）ないしネック部形成ブレード（２０）の最も厚いものの厚みに対応する１つの高さレベルにわたって延在している
ことを特徴とする請求項１に記載の構造（１００）。
【請求項１２】
前記分離可能なユニット（１０）は、その分離可能なユニット（１０）が備える最も厚いフレキシブルなブレード（２）ないしネック部形成ブレード（２０）の厚みに対応している複数の高さレベルにわたって延在している
ことを特徴とする請求項１に記載の構造（１００）。
【請求項１３】
前記分離可能なユニット（１０）には、前記部品（１）のそれぞれの平面と平行な平面上への射影において、交差するフレキシブルなブレード（２）ないしネック部形成ブレード（２０）が複数の高さレベルにわたってある
ことを特徴とする請求項１２に記載の構造（１００）。
【請求項１４】
前記分離可能なユニット（１０）は、モノブロックであり、分解することができない
ことを特徴とする請求項１に記載の構造（１００）。
【請求項１５】
当該構造（１００）は、１つが他のものに固定されている複数の部品（１）を有し、
その少なくとも１つの部品（１）は、分離可能なユニット（１０）の構成要素である
ことを特徴とする請求項１に記載の構造（１００）。
【請求項１６】
当該構造（１００）は、１つが他のものの上に積み重ねられた複数の部品（１）を有し、
当該構造（１００）の少なくとも１つの当該部品（１）は、前記分離可能なユニット（１０）の構成要素である
ことを特徴とする請求項１５に記載の構造（１００）。
【請求項１７】
当該構造（１００）は、１つが他のものの上に積み重ねられた少なくとも２つの部品（１）を有し、その部品（１）はそれぞれ、前記フレキシブルなブレード（２）ないしネック部形成ブレード（２０）を１つ有する前記分離可能なユニット（１０）の構成要素であり、
前記フレキシブルなブレード（２）ないしネック部形成ブレード（２０）は、前記部品（１）それぞれの平面と平行な平面上への射影において、交差している
ことを特徴とする請求項１５に記載の構造（１００）。
【請求項１８】
当該構造（１００）が備えるすべての部品（１）は、接続手段によって積み重なりの方向に沿ってクランプされるリンケージによってクランプ力が与えられる積み重なりを形成し、
前記接続手段は、少なくとも１つのリベット、及び／又は少なくとも１つのねじ−ナットのアセンブリー、及び／又はクランプによって固定された少なくとも１つの部品を有する
ことを特徴とする請求項１６に記載の構造（１００）。
【請求項１９】
当該構造（１００）が備えるすべての部品（１）は、接着剤によって１つが他のものと接合されるような積み重なりを形成する
ことを特徴とする請求項１７に記載の構造（１００）。
【請求項２０】
当該構造（１００）は、スピンドル、ピン又はねじを通して固定するための横断するハウジング（１１）がある少なくとも１つの前記部品（１）を有し、
前記横断するハウジング（１１）には、複数の弾性センタリングばね（１２）及び半径方向のトラベルを制限する複数の制限用止め（１３）がある
ことを特徴とする請求項１に記載の構造（１００）。
【請求項２１】
前記分離可能なユニット（１０）はそれぞれ、前記分離可能なリンケージ（５）それぞれの高さレベルにて壊される
ことを特徴とする請求項１に記載の構造（１００）。
【請求項２２】
請求項１〜２１のいずれかに記載の構造（１００）を少なくとも１つ有する計時器用発振器機構（１０００）。
【請求項２３】
請求項２２に記載の計時器用発振器機構（１０００）を少なくとも１つ有する計時器用ムーブメント（２０００）。
【請求項２４】
請求項２３に記載の計時器用ムーブメント（２０００）を有する腕時計（３０００）。
【請求項２５】
２つのメインユニット（３）を連結する少なくとも１つのフレキシブルなブレード（２）ないしネック部形成ブレード（２０）を有する少なくとも１つの部品（１）を有する計時器用機構を作る方法であって、
前記メインユニット（３）はそれぞれ、前記フレキシブルなブレード（２）ないしネック部形成ブレード（２０）よりも剛性が高く、前記部品（１）それぞれに対して、１つの前記部品（１）を設けるように意図された前記分離可能なユニット（１０）を１つ作り、
前記分離可能なユニット（１０）それぞれは、前記計時器用機構の他の構成要素とともにアセンブルされ、各分離可能なリンケージ（５）を壊すことによってすべての前記グリップユニット（４）が分離され、
前記グリップユニット（４）によって構成される犠牲的な部分は、前記機構に前記部品（１）のみを残すように取り除かれる
ことを特徴とする方法。
【請求項２６】
前記計時器用機構の構成要素のアセンブルは、ボード又は細工装置上にて行い、
前記ボード又は細工装置には、少なくとも１つのリベット、及び／又は少なくとも１つのねじ−ナットのアセンブリー、及び／又はクランプによって固定された少なくとも１つの部品、及び／又は接着剤を有する接続手段が取り付けられ、これによって、積み重ねの方向に沿って前記構成要素の積み重なりのクランプ及び／又は接着剤接着によってアセンブルし、
前記接続手段の前記クランプ及び／又は接着剤接着は、前記分離可能なリンケージ（５）それぞれを壊す前に行う
ことを特徴とする請求項２５に記載の方法。
【発明の詳細な説明】
【技術分野】
【０００１】
本発明は、少なくとも１つの部品を有する少なくとも１つの分離可能なユニットを有する計時器用発振器構造に関する。前記部品は、２つのメインユニットを連結する、少なくとも１つのフレキシブルなブレードないしネック部形成ブレードを有し、前記メインユニットのそれぞれは、前記フレキシブルなブレードないしネック部形成ブレードよりも剛性が高く、前記分離可能なユニットは、前記メインユニットの少なくとも１つに隣接するように設計された少なくとも１つのグリップユニットを有し、前記分離可能なユニットは、少なくとも１つの分離可能なリンケージによって前記メインユニットに接続され、前記分離可能なリンケージは、前記グリップユニットに隣接するように設計されている少なくとも特定のメインユニットによって前記部品が前記フレキシブルなブレードないしネック部形成ブレードよりも剛性が高い外側要素に固定されているときに前記部品からグリップユニットを分離することができるように設計されている。
【０００２】
本発明は、さらに、前記のような構造を少なくとも１つ有する計時器用発振器機構に関する。
【０００３】
本発明は、さらに、前記のような計時器用発振器機構を少なくとも１つ有する計時器用ムーブメントに関する。
【０００４】
本発明は、さらに、前記のような計時器用ムーブメントを有する腕時計に関する。
【０００５】
本発明は、さらに、２つのユニットを連結する少なくとも１つのフレキシブルなブレードないしネック部形成ブレードを有する少なくとも１つの部品を有する計時器用機構をアセンブルする方法に関し、各ユニットは、前記フレキシブルなブレードないし前記ネック部形成ブレードよりも剛性が高い。
【０００６】
本発明は、計時器用発振器機構及びその製造に関する。
【背景技術】
【０００７】
微細機械加工可能な材料、特に、ケイ素や酸化ケイ素で作られた材料、によって作られた計時器用部品を製造するための技術が開発されることによって、完全に再現可能な特徴を有する弾性部品の製造が可能になった。このような製造は、特殊鋼で作られたばねを用いる従来技術の方法と比べると大きく発展している。具体的には、このような技術によって、寸法が非常に小さく、非常に良好なクロノメーター的性質を有するような、薄いフレキシブルなブレードを備えた発振器の設計が可能になった。
【０００８】
しかし、前記のような部品の取り扱いは、特に繊細であることを必要とし、不適切な操作が少しでもあると部品が壊れてしまい、したがって、このような部品のコストは依然として高い。
【０００９】
Richemontによる国際出願WO2016/062889A2は、機械式のクロックムーブメント用の調整要素について記載している。これは、エスケープ車と、及び少なくとも２つの振動アームとパレット部がある振動発振器とを有する。このパレット部は、振動アームに接続され、エスケープ車の歯と直接連係して振動発振器の周期的な振動を維持し発振の各振動の際にエスケープ車を前進させるように構成している要素を有する。
【発明の概要】
【発明が解決しようとする課題】
【００１０】
本発明は、微細機械加工可能な材料で作られた部品の製造とアセンブルを工業化して、特に、自動取り扱い手段によって、非常に安全に取り扱うことができるようにすることを提案するものである。
【課題を解決するための手段】
【００１１】
このために、本発明は、請求項１に記載の計時器用発振器構造に関する。
【００１２】
本発明は、さらに、前記のような構造を少なくとも１つ有する計時器用発振器機構に関する。
【００１３】
本発明は、さらに、前記のような計時器用発振器機構を少なくとも１つ有する計時器用ムーブメントに関する。
【００１４】
本発明は、さらに、前記のような計時器用ムーブメントを有する腕時計に関する。
【００１５】
本発明は、さらに、少なくとも１つの部品を有する計時器用機構をアセンブルする方法に関し、この部品は、２つのメインユニットを連結する少なくとも１つのフレキシブルなブレードないしネック部形成ブレードを有し、各メインユニットは、前記フレキシブルなブレードないし前記ネック部形成ブレードよりも剛性が高い。
【００１６】
添付の図面を参照しながら以下の詳細な説明を読むことで、本発明の他の特徴及び利点が明らかになるであろう。
【図面の簡単な説明】
【００１７】
【図１】部品を有する本発明に係る構造が有する分離可能なユニットを示している概略平面図である。これは、初期の粗い製造状態にあり、この部品は、この段階においてはまだ、分離可能なリンケージを介して犠牲的な側方のグリップユニットに接続されている。
【図２】様々な構成要素、前記のような分離可能なユニット及びその様々な外側要素を積み重ねることによって作られる計時器用発振器構造を示している概略分解斜視図である。この構造は、アセンブルされ接続されている段階にある。この斜視図が開いていることは仮想的であって、単一の構成要素を示すように意図しているだけであり、犠牲的なグリップユニットは、この図２の段階においてはすべて取り除かれている。
【図３】同じアセンブルされ接続されている段階における図２の発振器構造を示している標準的な斜視図である。
【図４】図３の発振器構造を有する腕時計のムーブメントについての斜視図である。
【図５】分離可能なゾーンを壊してグリップユニットを取り除いた後の最終状態における図１の分離可能なユニットを示している概略斜視図である。
【図６】図６〜１４は、図１の初期状態における本発明に係る分離可能な要素の様々な変種を図１と同様に示している概略平面図である。図６には、傾斜したフレキシブルなブレードによって接続している２つのユニット、側方グリップユニット、及び材料が薄くなっている区画を含んでいる分離可能なリンケージがある。この区画は、この図が含んでいる１つの区画にわたって示されている。
【図７】傾斜したフレキシブルなブレード、側方グリップユニット及び分離可能なリンケージによって接続している２つのメインユニットを有する。この分離可能なリンケージには、ブリッジと、横断する開口との交互構成がある。この交互構成は、この図が含んでいる１つの区画にわたって示されている。
【図８】傾斜したフレキシブルなブレードによって接続している２つのメインユニット、側方グリップユニット、及び厚みにおいて切り込みがある分離可能なリンケージを有する。この切り込みは、この図が含んでいる１つの区画にわたって示されている。
【図９】２つのネック部が形成されているブレードによって接続された２つのメインユニットを有し、Ｕ字形のグリップユニットがメインユニットの両側にてメインユニットに接続されており、そのメインユニットはそれぞれ、単純なブリッジによってグリップユニットに接続している。
【図１０】まっすぐなフレキシブルなブレードによって接続している２つの環状のメインユニットを有する。Ｕ字形のグリップユニットが、そのグリップユニットの両側にてメインユニットに接続しており、そのメインユニットはそれぞれ、単純なブリッジによってグリップユニットに接続している。
【図１１】２つの高さレベルがあり、各高さレベルに、傾斜したブレードによって接続している２つのメインユニット、そして、側方グリップユニットがある。これらの高さレベルは、この図が含んでいる１つの区画にわたって示されている。そのメインユニットはそれぞれ、二重のブリッジによってグリップユニットに接続している。これらの２つの高さレベルは、２つのフレキシブルなブレードが、分離可能なユニットの平面と平行な平面上への射影において、交差するように設計されている。
【図１２】傾斜したブレードによって接続している２つのメインユニット、そして、メインユニットの両側にてメインユニットに接続されたＵ字形のグリップユニットがある。そのメインユニットはそれぞれ、二重のブリッジによってグリップユニットに接続している。
【図１３】２つの傾斜した交差するブレードによって接続しており中央ゾーンにてアイ部（eye）を有する２つのメインユニット、そして、側方グリップユニットがある。そのメインユニットはそれぞれ、単純なブリッジによってグリップユニットに接続している。
【図１４】Ｖ字形の構成の２つのブレードによって接続され１つが慣性要素を形成している扇形体である２つのメインユニット、そして、メインユニットの龍側にてメインユニットに接続しているＵ字形のグリップユニットがある。そのメインユニットはそれぞれ、単純なブリッジによってグリップユニットに接続している。
【図１５】前記のような構造を有する発振器機構を有するムーブメントを有する腕時計を示しているユニット説明図である。
【発明を実施するための形態】
【００１８】
本発明は、少なくとも１つの分離可能なユニット１０を有する計時器用発振器構造に関する。
【００１９】
この分離可能なユニット１０は、製造時、取り扱い時、アセンブル時に、少なくとも１つの計時器用部品１の最も脆弱な要素を保護するように設計されている。
【００２０】
分離可能なユニット１０は、他の要素とのアセンブルの後に、この分離可能なユニット１０が備える各部品１によって形成される１つの機能的な部分と、計時器用機構内にてまったく使われなくなる犠牲的な部分とに分離されるように設計されている。この計時器用機構の中心に部品１が組み入れられる。この犠牲的な部分は、オペレーター又は自動化された取り扱い手段による取り扱いが容易になるように設計されており、曲がること及び／又はねじられることによって壊れること、加工により壊れること、ワイヤーカッターやレーザーカットのような工具で切断することなどによってグリップユニット４と部品１が分離するまで、各部品１、特に、グリップユニット４が包囲する最も脆弱な要素、を保護するグリップユニット４を形成する。
【００２１】
また、分離可能なユニット１０は、さらに説明する特定の変種において、この分離可能なユニット１０の製造時に部品１が備えるフレキシブル要素のプレテンションが可能になるように設計されている。これによって、部品１のアセンブル全体にわたってプレテンションの位置を保持する。このことによって、成形工具などによって応力を与える必要がなくなる。
【００２２】
本発明の好ましいアプリケーション（これに限定されない）において、保護される脆弱な要素は、ブレードやばねのようなフレキシブルな要素である。
【００２３】
特に、分離可能なユニット１０は、少なくとも１つのフレキシブルなブレード２ないし少なくとも１つのネック部形成ブレード２０を有する少なくとも１つの部品１を有する。
【００２４】
このフレキシブルなブレード２ないしネック部形成ブレード２０は、２つのメインユニット３どうしを連結し、各メインユニット３は、フレキシブルなブレード２のための埋め込みの高さレベル又はネック部形成ブレード２０のためのネック部２１の高さレベルについて考えると、フレキシブルなブレード２ないしネック部形成ブレード２０よりも剛性が高い。
【００２５】
本発明によると、分離可能なユニット１０は、少なくとも１つの＜のようなメインユニット３に隣接しているグリップユニット４を少なくとも１つ有し、このメインユニット３には、少なくとも１つの分離可能なリンケージ５によってグリップユニット４が接続される。この分離可能なリンケージ５は、グリップユニット４に隣接している少なくとも特定のメインユニット３によって部品１が外側要素９に固定されているときに、部品１からグリップユニット４を分離することができるように設計されている。この外側要素９は、フレキシブルなブレード２、又はネック部形成ブレード２０のネック部よりも剛性が高い。
【００２６】
図面には、限定されない形態で、まっすぐなフレキシブルなブレード２、１つのネック部２１が両側にあるネック部形成ブレード２０、又は中央部にアイ部２５があるフレキシブルなブレード２を示している。なお、これらの脆弱な要素の形は、非常に多岐にわたることがわかるであろう。
【００２７】
具体的には、部品１は、計時器用発振器の部品であり、フレキシブルなブレード２ないしネック部形成ブレード２０は、発振器の主部品であり、そのクロノメーター的性能を確実にするものである。
【００２８】
分離可能なリンケージ５は、様々な方法で作ることができる。図１、２、５及び６において、この分離可能なリンケージ５には、チョコレートケーキの形態である、メインユニット３及びそれに隣接しているグリップユニット４の断面よりも小さな断面のゾーン、すなわち、輪郭２Ｄ、があり、この分離可能なリンケージ５は、曲げることによって容易に壊すことができる。図７、９〜１４において、分離可能なリンケージ５には、少なくとも１つのブリッジ７又は複数のブリッジ７があり、これは、実際に、図７に示しているように穴や穿孔のような横断する開口８によって、又は図９〜１４に示しているように別個の薄いブリッジによって、分離されることができる。再び、分離可能なリンケージ５には、図８に示すように、材料の厚みにて作られる少なくとも１つの切り込みがあることができ、特に、材料の厚みにてチャンバが形成される分離可能なユニット１０の多層のプロセスによる製造において、適している。もちろん、分離可能なリンケージ５は、これらの様々な製造モードを混ぜて作ることができ、そして、メインユニット３及びそれに隣接しているグリップユニット４の断面よりも小さな断面のゾーンを有すること、及び／又は横断する開口８によって分離され又は分離されない一又は複数のブリッジ７を有すること、及び／又は材料の厚みにおいて作られる少なくとも１つの切り込みを有することができる。好ましいことに、ブリッジ７を使用しているときに、ブリッジ７は、ねじれ及び／又は曲がり及び／又は切断によって非常に容易に壊れるように設計されている。
【００２９】
特に有利な構成において、図示したように、同じフレキシブルなブレード２ないしネック部形成ブレード２０の両側に位置しているメインユニット３に、同じグリップユニット４が隣接しており、これによって、このフレキシブルなブレード２ないしネック部形成ブレード２０を保護する。
【００３０】
特に、メインユニット３はそれぞれ、グリップユニット４に隣接している。メインユニット３がこのグリップユニット４に、分離可能なリンケージ５によって接続される。
【００３１】
特定の構成において、少なくとも１つのメインユニット３が、自由な慣性質量体を形成し、そして、別の分離可能なユニット１０の別の自由な慣性質量体に又は外側要素９に、固定されるように設計されている。これは、例えば、図１４の場合であり、図１４における扇形体が、前記のような慣性質量体である。
【００３２】
少なくとも１つのメインユニット３には、そのメインユニット３を前記少なくとも１つの外側要素９に堅固に固定するための少なくとも１つのアセンブリー面６又は１１がある。図面においては、穿孔のようなスムースなアセンブリー面６と、クランプを確実にすることができるレリーフがある横断するハウジング１１とを区別している。より詳細には、図５に示しているように、横断するハウジング１１には、スピンドル、ピン、ねじなどを通して固定するために、複数の弾性センタリングばね１２及び半径方向のトラベルを制限する複数の制限用止め１３がある。もちろん、分離可能なユニット１０の上側及び下側の支持面は、特に、分離可能なユニット１０が２つの平行な上側及び下側の面の間にて延在しているような図面に示した好ましい構成において、外側要素９を備えたアセンブリー面でもある。このようにして、図２は、分離可能な要素１０と外側要素９の積み重なりを有する計時器構造１００、特に、発振器構造、を示している。これらの分離可能な要素１０と外側要素９は、ロッド、ボルト、ねじ、リベット、ピンなどのリンケージ及び／又は固定要素である他の外側要素９によって、互いに対して積み重なり方向に維持される。
【００３３】
特に、各メインユニット３には、そのメインユニット３を少なくとも１つの外側要素９に堅固に固定するための前記のようなアセンブル用の面６又は１１が少なくとも１つある。
【００３４】
特に、前記メインユニット３の少なくとも１つは、自由な慣性質量体を形成し、外側要素９とのリンケージはいずれもない。この場合は、メインユニット３を谷部分としてＶ字の形をともに形成する２つのブレード２によって単に懸架されるように扇形体が完全に自由にされる場合に、図１４の場合であることができる。
【００３５】
特に、分離可能なユニット１０は、単一のグリップユニット４を有する。この構成は、分離可能なユニット１０がコンパクトであり側方から容易にアクセス可能であ場合に非常に信頼性が高く、可能な場合には常に好ましい。しかし、特定の構成において、分離可能なユニット１０は、長さに関して非常に延びており、又はアセンブルされた後にはどこからもアクセス可能ではなく、又は設置されることによって単一のグリップユニット４が取り外されることを防ぐというような特徴もある。この場合、複数のグリップユニット４を有することは有用である。
【００３６】
特に有利なアプリケーションにおいて、分離可能なユニット１０の中心において、前記フレキシブルなブレード２ないしネック部形成ブレード２０の少なくとも１つは、各グリップユニット４が部品１に接続されているかぎり、多重安定状態にて予応力が与えられている。この構成は、特に、分離可能なユニット１０がケイ素で作られる場合、そして、この構成が備えるフレキシブル要素の予応力が二酸化ケイ素の成長によって確実にされる場合に、興味深い。この二酸化ケイ素の成長は、薄いゾーンや堅固なゾーン上にて区別されるように行われ、フレキシブル要素の座屈（buckle）を伴う。ここで、堅固な部分は、メインユニット３に加えてグリップユニット４によって形成される。これには、いずれの特定のプレテンションをも必要とせずに前記のような部品をアセンブルすることができるという利点がある。部品１がその部品１が属する構造１００にて包囲され固定された後には、プレテンションは確実にされ、全体的に保持され、機能を完全に再現可能である。分離可能なユニットを破壊しても、フレキシブル要素の予応力について厳密には何も変えることにならない。
【００３７】
特に、分離可能なユニット１０は平坦な形であり、２つの平行な上側及び下側の面の間にて延在しており、微細機械加工可能な材料で作られ、又はケイ素や酸化ケイ素で作られ、又はＤＬＣで作られ、又は少なくとも部分的にアモルファスな物質によって作られ、又は同様な形態で作られる。
【００３８】
特定の実施形態において、この分離可能なユニット１０は、それが備える最も厚いフレキシブルなブレード２ないしネック部形成ブレード２０の厚みに対応する単一の高さレベルにわたって延在している。
【００３９】
特定の実施形態において、図１１の例において示しているように、分離可能なユニット１０は、それが備える最も厚いフレキシブルなブレード２ないしネック部形成ブレード２０の厚みにそれぞれが対応している複数の高さレベルにわたって延在している。このようにして、この図１１は、２つの交差しているブレードを示している。これらは、それぞれが特定の高さレベル上にあり、例えば、各高さレベルがまずケイ素にて別々に作られ、それらの接合面の高さレベルにおける二酸化ケイ素の成長によって２つの高さレベルがアセンブルされる。したがって、この分離可能なユニット１０には、部品１の各平面に平行な平面上への射影において交差しているフレキシブルなブレード２ないしネック部形成ブレード２０が、様々な高さレベルにわたってある。
【００４０】
特定の有利な構成において、分離可能なユニット１０は、モノブロックであり、分解することができない。
【００４１】
本発明は、さらに、１つが他のものに固定された複数の部品を有する計時器用発振器構造１００に関する。その部品１の少なくとも１つは、上記のように、分離可能なユニット１０の構成要素である。特に、構造１００は、１つが他のものの上に積み重ねられた複数の部品１を有し、その少なくとも１つの部品１は、前記のような分離可能なユニット１０の構成要素である。
【００４２】
特に、構造１００は、１つが他のものの上に積み重ねられた少なくとも２つの部品１を有し、そのそれぞれは、１つのフレキシブルなブレード２ないしネック部形成ブレード２０を有する前記のような分離可能なユニット１０の構成要素であり、これらのフレキシブルなブレード２ないしネック部形成ブレード２０は、各部品１の平面と平行な平面上への射影において、交差している。
【００４３】
具体的には、構造１００が備える部品１はすべて、接続手段によって積み重なり方向に沿ってクランプされたリンケージによってクランプ力が与えられる積み重なりを形成している。この接続手段は、少なくとも１つの、リベット、及び／又はねじ−ナットのアセンブリー、及び／又はクランプによって固定された少なくとも１つの部品を有する。
【００４４】
１つの変種において、構造１００が備える部品１の少なくとも一部が、接着剤接着によって積み重なっている状態に維持される。特に、構造１００が備える部品１はすべて、接着剤接着によって維持される積み重なりを形成する。
【００４５】
好ましいことに、構造１００には、スピンドル又はピン又はねじを通して固定するための横断するハウジング１１があり、この横断するハウジング１１には、複数の弾性センタリングばね１２と、及び半径方向のトラベルを制限する複数の制限用止め１３とがある。ケイ素で作られた分離可能なユニット１０を開発する１つの場合において、これらの制限用止め１３の位置は、ケイ素を壊さないように十分にまっすぐなトラベルが可能であるように設計される。このトラベルは、アセンブリーリンケージのピン又は要素の公称直径に対して約１０μｍである。
【００４６】
ねじ留め及び／又は固定及び／又は接着剤接着などによるアセンブルや接続の後に、分離可能なユニット１０はそれぞれ、各分離可能なリンケージ５の高さレベルにて、壊される。このようにして、グリップ要素４がこの構造１００から取り除かれる。
【００４７】
本発明は、さらに、前記のような構造１００を少なくとも１つ有する計時器用発振器機構１０００に関する。
【００４８】
本発明は、さらに、前記のような計時器用発振器機構１０００を少なくとも１つ有し、及び／又は前記のような構造１００を少なくとも１つ有し、及び／又は前記分離可能なユニット１０を少なくとも１つ有する計時器用ムーブメント２０００に関する。
【００４９】
本発明は、さらに、前記のような計時器用ムーブメント２０００を有する腕時計３０００に関する。
【００５０】
本発明は、さらに、少なくとも１つの部品１を有する計時器用機構を作る方法に関し、この部品１は、２つのメインユニット３を連結させるフレキシブルなブレード２ないしネック部形成ブレード２０を少なくとも１つ有し、各メインユニット３は、このフレキシブルなブレード２ないしネック部形成ブレード２０よりも剛性が高い。
【００５１】
この方法によると、少なくとも１つの部品１に対して、上記のような分離可能なユニット１０が作られる。分離可能なユニット１０はそれぞれ、計時器用機構の他の構成要素とともにアセンブルされ、その後に、各分離可能なリンケージ５を壊すことによってグリップユニット１４がすべて分離される。
【００５２】
特に、計時器用機構の構成要素のアセンブルをボード又は細工装置（tooling equipment）上にて行う。このボード又はこの細工装置には、クランプ及び／又は接着剤接着によって固定される少なくとも１つのリベット及び／又はねじ−ナットのアセンブリー及び／又は部品を有する接続手段が取り付けられ、これによって、積み重ねの方向に沿って構成要素の積み重なりをクランプ及び／又は接着剤接着によってアセンブルする。接続手段のクランプ及び／又は接着剤接着は、各分離可能なリンケージ５を壊す前に実行される。
【符号の説明】
【００５３】
１  部品
２  フレキシブルなブレード
３  メインユニット
４  グリップユニット
５  分離可能なリンケージ
６  アセンブリー面
７  ブリッジ
９  外側要素
１０  分離可能なユニット
１１  ハウジング
１２  弾性センタリングばね
１３  制限用止め
２０  ネック部形成ブレード
１００  計時器用発振器構造
１０００  計時器用発振器機構
２０００  計時器用ムーブメント
３０００  腕時計
【図１】
2019015731.tif 000003
【図２】
2019015731.tif 000004
【図３】
2019015731.tif 000005
【図４】
2019015731.tif 000006
【図５】
2019015731.tif 000007
【図６】
2019015731.tif 000008
【図７】
2019015731.tif 000009
【図８】
2019015731.tif 000010
【図９】
2019015731.tif 000011
【図１０】
2019015731.tif 000012
【図１１】
2019015731.tif 000013
【図１２】
2019015731.tif 000014
【図１３】
2019015731.tif 000015
【図１４】
2019015731.tif 000016
【図１５】
2019015731.tif 000017
【外国語明細書】
2019015731000001.pdf